(57)【要約】【課題】従来、一般的に中高年用として提供されている肌着は、厚地で裾丈が長くなっていて、保温効果は高いが、スカートやスラックスを穿いたとき、ウエスト部分に肌着の弛みができ、よりやしわになるので肌着を着ている本人は太っているように感じて不愉快である。実際、外見も太って見える。また、しゃがんだときに肌着がずり上がり、ウエスト部分がしわになる。【解決手段】裾丈をウエストより上に位置する長さに縮め、裾周りを極めて柔軟なゴム入りレースで細めに縫製する方法と、ウエスト部分だけをメッシュ仕立てとする方法と、裾丈の長い肌着において、肌着の両脇でウエストの少し下の位置からスリットを入れる方法によりウエスト部分の弛みを防止した肌着を提供する。【選択図】　　図１
2004137647.tif 000002
【特許請求の範囲】
【請求項１】
肌着の丈を着用したときウエストより上に位置する長さとし、裾周りを柔軟なゴム入りレースで細めに縫製したことを特徴とするウエストの弛みを防止した肌着。
【請求項２】
肌着のウエスト部分をメッシュで構成したことを特徴とするウエストの弛みを防止した肌着。
【請求項３】
裾丈の長い肌着のウエストより下方数箇所にスリットを入れて、裾周りを縁縫いしたことを特徴とするウエストの弛みを防止した肌着。
【発明の詳細な説明】
【０００１】
【発明の属する技術分野】
本発明は、ウエスト周りに肌着の裾の弛みやしわができない構造とした肌着に関している。
【０００２】
【従来の技術】
春先や秋の少し肌寒いときに、肌着を一枚余分に着るのは意外に億劫で、面倒に感ずる。肌寒い時期の保温には、キャミソールやブラスリップ等の肌着と上着の間に軽く着用できる薄手のさらさらして着脱しやすい素材が適している。このような素材を使用すると、重ね着もでき、保温効果を高めることもできる。また、袖丈はノースリーブ、半袖、５部袖が適している。しかし、従来、一般的に中高年用として提供されている肌着は、厚地で裾丈が長くなっていて、保温効果が高いが、スカートやスラックスを穿いたとき、ウエスト部分に肌着の弛みができ、よりやしわになるので肌着を着ている本人は太っているように感じて不愉快である。実際、外見も太って見える。また、しゃがんだときに肌着がずり上がり、ウエスト部分がしわになる。
【０００３】
【発明が解決しようとする課題】
このように、肌着を着てスカートやスラックスを穿いた際に、ウエスト部分が弛み、よりやしわが生ずると、ウエスト部分が太くなり、外観が悪くなる。従来提供されている中高年用肌着は臀部、腰、腿等の冷えを防止する効果があるが、ウエスト部分の弛みが問題である。そこで、本発明においては、ウエスト部分に弛みの出ない肌着を提供しようとするものである。
【０００４】
【課題を解決するための手段】
上記目的を達成するために、本発明の請求項１に記載のウエストの弛みを防止した肌着においては、裾丈をウエストより上に位置する長さに縮めている。このため、ウエストに肌着の裾が掛からないので、肌着の下に着たキャミソールやブラスリップでウエストをカバーすることになり、ウエスト周りはすっきりし、太って見えることがなくなる。裾周りを極めて柔軟なゴム入りレースで細めに縫製することにより、裾回りはウエストにフィットするので着易くなる。
【０００５】
請求項２に記載のウエストの弛みを防止した肌着においては、肌着のウエスト部分をメッシュで構成することにより、ウエストに掛かる生地を少なくし、肌にやわらかくメッシュ部分が収縮し、着脱が容易である。
【０００６】
請求項３に記載のウエストの弛みを防止した肌着においては、従来の中高年用に提供されている裾丈の長い肌着と同じような裾丈の長さの肌着を対象としている。従来の肌着との相違点は、ウエストより下方数箇所にスリットを入れて、裾周りを縁縫いしている。両脇でウエストより少し下からスリットを設けることで、肌着の弛みによるよりやしわをなくするようにしている。肌着の裾周りが一体化している従来の肌着では、肌着の裾を引っ張ってしわを伸ばしたとき、両脇や中心が正しい位置にあるかどうか不安になる。両脇にスリットが付いていると肌着を両脇で位置決めすることができ、中心を正しく取ることができるので、スカートやスラックスを穿きやすい。よりになる部分はスリットに吸収されるので、よりやしわになることがなくなり、保温性を保つことができ、冬にカイロを貼りたいときも位置決め召しやすくなる。
【０００７】
【発明の実施の態様】
本発明のウエストの弛みを防止した肌着の実施の形態は、肌着の裾丈を短くして、ウエストよりやや上で、ベルト等に裾が掛からない長さの裾丈とし、裾に超ソフトゴム入りレースで細めに仕上げる方法と、肌着のウエスト部分だけをメッシュ仕立てとする方法と、裾丈の長い肌着において、肌着の両脇でウエストの少し下の位置からスリットを入れる方法が考えられる。また、介護用として、上記方法を使用した前開きの肌着もかんがえられる。
【０００８】
本発明の実施の形態を実施例にもとづき図面を参照して説明する。
図１は請求項１に記載のウエストの弛みを防止した肌着の正面図である。肌着１の裾２は短くなっていて、裾２は超ソフトゴム入りレース３で細めに仕上がっている。
【０００９】
図２は請求項１に記載のウエストの弛みを防止した肌着の使用例である。キャミソール４を着た上に、肌着１を着用している状態を示している。肌着１の裾２はウエストよりやや上で、裾２は超ソフトゴム入りレースで細めに仕上がっているので、肌着１のウエスト部分に弛みが生じることはない。肌着１の上に、ブラウス、セーター等を着用するので、中間に着用する肌着１となり、保温着としての効果が高まる。
【００１０】
図３は請求項２に記載のウエストの弛みを防止した肌着の正面図である。肌着１の裾２はメッシュ５になっているため、伸縮し、身体にフィットする。
【００１１】
図４は請求項２に記載のウエストの弛みを防止した肌着の使用例である。キャミソール４を着た上に、肌着１を着用している。裾２はメッシュ５で仕立てられている。
【００１２】
図５は請求項３に記載のウエストの弛みを防止した肌着の斜視図である。裾丈の長い肌着６の両側部にスリット８をウエストの少し下の位置から入れて、裾７を縁縫いしている。布地がほつれることがなく、臀部、腰、腿等をスリット８で分割された布地が包む結果、下半身の保温性を保持でき、しかも、ウエスト部分での弛みを解消できる。デザイン性を持たせた形状の裾とすることもでき、体型に合わせてスリット８を設ける箇所や数を変更することもできる。
【００１３】
【発明の効果】
スカートやスラックスを穿いたとき、肌着のウエスト部分での弛み、より、しわ、膨らみ等を解消することができる。
【００１４】
ファッション性を付加することができる。
【００１６】
老若男女を問わず、保温性の高い肌着を使用できる。
【図面の簡単な説明】
【図１】請求項１に記載のウエストの弛みを防止した肌着の正面図である。
【図２】請求項１に記載のウエストの弛みを防止した肌着の説明図である。
【図３】請求項２に記載のウエストの弛みを防止した肌着の正面図である。
【図４】請求項２に記載のウエストの弛みを防止した肌着の説明図である。
【図５】請求項３に記載のウエストの弛みを防止した肌着の斜視図である。
【符号の説明】
１　肌着
２　裾
３　超ソフトゴム入りレース
４　キャミソール
５　メッシュ
６　裾丈の長い肌着
７　裾
８　スリット
【図１】
2004137647.tif 000003
【図２】
2004137647.tif 000004
【図３】
2004137647.tif 000005
【図４】
2004137647.tif 000006
【図５】
2004137647.tif 000007